(57)【要約】【課題】ユーザの利便性を向上させることを目的とする。【解決手段】本発明の表示制御装置は、画像処理の設定を受け付ける第１の受付手段と、第１の受付手段によって受け付けられた画像処理の設定に対応する画像処理が行われた第１の画像を第１の表示部に表示するよう制御し、第１の受付手段によって受け付けられた画像処理の設定に対応する画像処理が行われていない第２の画像を第２の表示部を有する外部装置に出力するよう制御する制御手段と、を有する。【選択図】図６
2019129363.tif 000002
【特許請求の範囲】
【請求項１】
画像処理の設定を受け付ける第１の受付手段と、
前記第１の受付手段によって受け付けられた前記画像処理の設定に対応する画像処理が行われた第１の画像を第１の表示部に表示するよう制御し、前記第１の受付手段によって受け付けられた前記画像処理の設定に対応する画像処理が行われていない第２の画像を第２の表示部を有する外部装置に出力するよう制御する制御手段と、
を有する表示制御装置。
【請求項２】
定められた操作を受け付ける第２の受付手段を更に有し、
前記第１の受付手段によって前記画像処理の設定が受け付けられた後に前記第２の受付手段によって前記定められた操作が受け付けられた場合、前記制御手段は、前記第１の受付手段によって受け付けられた前記画像処理の設定に対応する画像処理が前記第２の画像に対して行われた第３の画像を前記外部装置に出力するよう制御する請求項１記載の表示制御装置。
【請求項３】
前記第１の受付手段は、画像処理の設定を変更する変更操作を受け付け、
前記第２の受付手段は、前記変更操作を受け付けることにより変更された画像処理の設定で、画像処理の設定を確定させる確定操作を受け付ける請求項２記載の表示制御装置。
【請求項４】
前記第１の受付手段は、前記第１の表示部に表示された設定画面を介して、前記画像処理の設定を受け付ける請求項１乃至３何れか１項記載の表示制御装置。
【請求項５】
前記設定画面は、画像と共に前記第１の表示部に表示される請求項４記載の表示制御装置。
【請求項６】
前記制御手段は、
前記設定画面に、設定用のオブジェクトを第４の画像に重畳して表示するよう制御し、
前記第１の受付手段によって前記画像処理の設定が受け付けられた場合、前記設定画面に、前記設定用のオブジェクトを、前記第１の受付手段によって受け付けられた前記画像処理の設定に対応する画像処理が前記第４の画像に対して行われた前記第１の画像に重畳して表示するよう制御する請求項４又は５記載の表示制御装置。
【請求項７】
前記制御手段は、前記設定画面を前記第１の表示部に表示する制御を行い、前記第１の受付手段によって前記画像処理の設定が受け付けられ、前記設定画面を閉じる操作がされた後に、前記第１の画像を前記第１の表示部に表示するよう制御する請求項４又は５記載の表示制御装置。
【請求項８】
撮像部を更に有し、
前記第１の画像、及び、前記第２の画像は、前記撮像部によって撮像されたライブビュー画像である請求項１乃至７何れか１項記載の表示制御装置。
【請求項９】
第１の操作を受け付ける第１の受付手段と、
第１の表示部への画像の表示、及び、第２の表示部を有する外部装置への画像の出力を制御する制御手段と、を有し、
前記制御手段は、前記第１の表示部に第１の画像を表示し、前記第２の表示部に前記第１の画像を出力するよう制御しているときに、前記第１の受付手段によって前記第１の操作が受け付けられた場合、前記第１の表示部に、第２の画像を表示するよう制御し、前記外部装置に前記第１の画像を出力するよう制御する表示制御装置。
【請求項１０】
第２の操作を受け付ける第２の受付手段を更に有し、
前記第１の受付手段によって前記第１の操作が受け付けられた後に前記第２の受付手段によって前記第２の操作が受け付けられた場合、前記制御手段は、前記外部装置に前記第２の画像を出力するよう制御する請求項９記載の表示制御装置。
【請求項１１】
撮像部を更に有し、
前記第１の画像は前記撮像部によって撮像されたライブビュー画像である請求項９又は１０記載の表示制御装置。
【請求項１２】
前記第２の画像は、記憶媒体に記憶されたデータから選択された静止画、又は、動画である請求項９乃至１１何れか１項記載の表示制御装置。
【請求項１３】
表示制御装置は、前記第１の表示部を更に有する請求項１乃至１２何れか１項記載の表示制御装置。
【請求項１４】
前記表示制御装置は、撮像装置である請求項１乃至１３何れか１項記載の表示制御装置。
【請求項１５】
画像処理の設定を受け付ける受付ステップと、
前記受付ステップによって受け付けられた前記画像処理の設定に対応する画像処理が行われた第１の画像を第１の表示部に表示するよう制御し、前記受付ステップによって受け付けられた前記画像処理の設定に対応する画像処理が行われていない第２の画像を第２の表示部を有する外部装置に出力するよう制御する制御ステップと、
を含む表示制御装置の制御方法。
【請求項１６】
コンピュータを、請求項１乃至１４何れか１項記載の表示制御装置の各手段として機能させるためのプログラム。
【発明の詳細な説明】
【技術分野】
【０００１】
本発明は、表示制御装置、表示制御装置の制御方法、及び、プログラムに関する。
【背景技術】
【０００２】
従来、デジタルカメラのような動画撮影機能を持ち、ＴＦＴ液晶（薄膜トランジスタ液晶）やＥＶＦ（電子ビューファインダ）等の表示装置を持った表示制御装置において、表示方法が多様になってきている。例えば、表示制御装置には、光学ファインダ表示とＴＦＴ表示によるライブビュー表示を行ったり、カメラ内部の表示部への表示と動画データを外部表示装置への表示とを切り替えて表示したりするものがある。また、表示制御装置には、表示の制御が可能な表示部と外部装置が有する表示部とに画像を表示させる、いわゆる二画面同時出力を行うものもある。
【０００３】
ここで、特許文献１には、光学ファインダにて画像を表示する光学ファインダモードと背面モニタにて画像を表示するライブビューモードとの２種類の表示モードを有するデジタル一眼レフカメラが記載されている。特許文献１のデジタル一眼レフカメラは、光学ファインダモードで記憶された測光値、測距値及び位置情報について、ライブビューモードで反映させる設定がなされているかどうかを判断する。そして、特許文献１のデジタル一眼レフカメラは、反映させる設定がなされている場合には記憶された測光値及び位置情報に基づき露出制御を行った後に、記憶された測距値及び位置情報に基づき合焦を行う。
【先行技術文献】
【特許文献】
【０００４】
【特許文献１】特開２００６−１６３０９４号公報
【発明の概要】
【発明が解決しようとする課題】
【０００５】
しかしながら、表示制御装置は、表示の制御が可能な第１の表示部と外部装置が有する第２の表示部とに同時に画像を表示させる際、次のようになることがある。すなわち、第１の表示部に表示される画像に対する操作が外部装置に出力する画像に影響し、ユーザが意図しない画像が外部装置の第２の表示部に表示されてしまうことがある。このため、ユーザの利便性に欠けることがある。特許文献１は、光学ファインダモードとライブビューモードとの切替えに関する技術であり、特許文献１には同時に２つの表示部に画像を表示させる際の技術についての記載はない。
【課題を解決するための手段】
【０００６】
本発明の表示制御装置は、画像処理の設定を受け付ける第１の受付手段と、前記第１の受付手段によって受け付けられた前記画像処理の設定に対応する画像処理が行われた第１の画像を第１の表示部に表示するよう制御し、前記第１の受付手段によって受け付けられた前記画像処理の設定に対応する画像処理が行われていない第２の画像を第２の表示部を有する外部装置に出力するよう制御する制御手段と、を有する。
【発明の効果】
【０００７】
本発明によれば、ユーザの利便性を向上させることができる。
【図面の簡単な説明】
【０００８】
【図１】表示制御装置、及び、外部表示装置の構成の一例を示す図である。
【図２】画像表示処理の一例を示すフローチャートである。
【図３】表示制御装置、及び、外部表示装置の画像表示の一例を示す図である。
【図４】設定反映ボタン出現処理の一例を示すフローチャートである。
【図５】表示制御装置、及び、外部表示装置の画像表示の一例を示す図である。
【図６】設定変更処理の一例を示すフローチャートである。
【図７】表示制御装置、及び、外部表示装置の画像表示の一例を示す図である。
【図８】設定変更処理の一例を示すフローチャートである。
【図９】表示制御装置、及び、外部表示装置の画像表示の一例を示す図である。
【図１０】再生動作処理の一例を示すフローチャートである。
【図１１】表示制御装置、及び、外部表示装置の画像表示の一例を示す図である。
【発明を実施するための形態】
【０００９】
（第１の実施形態）
まず、図１を参照して、第１の実施形態のシステムを構成する表示制御装置１００、及び、外部表示装置１２０のハードウェア構成について説明する。図１は、表示制御装置１００、及び、外部表示装置１２０の構成の一例を示す図である。
表示制御装置１００は、入力端子１０１と画像処理回路１０２と画像メモリ１０３とストリームバッファ１０４と通信部１０５とメモリ１０６と操作部１０７と表示部１０８とＣＰＵ１０９と撮像素子１１０とを有する。また、表示制御装置１００は、媒体制御部１１１と不揮発性メモリ１１２とを有する。また、表示制御装置１００は、表示制御装置１００の各部を接続するバス１１３を有する。表示制御装置１００として、撮像装置であるデジタルカメラにより実現した例について説明するが、ＰＤＡ（携帯情報端末）やスマートフォン、タブレット端末等の電子機器により実現してもよい。
【００１０】
入力端子１０１は、外部装置から静止画や動画等の画像データを受信するインタフェースである。
画像処理回路１０２は、入力端子１０１が受信した画像や撮像素子１１０が撮像した画像に対して、色情報の変換等の定められた画像処理を施す。
画像メモリ１０３は、画像処理回路１０２で画像処理される対象の画像データや画像処理回路１０２で画像処理された画像データを、表示用及び記憶処理用に一時的に記憶する。
ストリームバッファ１０４は、一時記憶用のメモリである。ＣＰＵ１０９の制御により、画像メモリ１０３に記憶された画像データがストリームバッファ１０４に一時的に記憶される。ストリームバッファ１０４に記憶された画像データは、ＣＰＵ１０９の制御により、ファイル化されて媒体制御部１１１を介して、表示制御装置１００に接続したメモリカード１１４に記憶される。また、ストリームバッファ１０４に記憶された画像データは、表示用データにされて表示部１０８より表示されたり、通信部１０５を介して外部表示装置１２０へ送信されたりする。
【００１１】
通信部１０５は、ＣＰＵ１０９の制御により、外部表示装置１２０等の外部装置との通信を行う。通信部１０５が行う通信は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）接続等の有線での通信でもよく、ＷｉＦｉ等の無線での通信でもよい。
メモリ１０６は、撮像素子１１０で撮像された画像データを一時的に保持するバッファメモリや、表示部１０８の画像表示用メモリ、ＣＰＵ１０９の作業領域等として使用される。
操作部１０７は、表示制御装置１００に対するユーザの操作を受け付ける。操作部１０７は、表示制御装置１００の筐体に取り付けられたボタンやスイッチ、及び、表示部１０８と一体化されたタッチパネルを含む。
表示部１０８は、ＴＦＴ液晶（薄膜トランジスタ液晶）等のディスプレイであり、画像等を表示する。表示部１０８は、第１の表示部の一例である。
【００１２】
ＣＰＵ１０９は、表示制御装置１００の全体を制御する。ＣＰＵ１０９が、不揮発性メモリ１１２に記憶されているプログラムに基づき処理を実行することによって、表示制御装置１００の各種の機能や、図２、４、６、８、１０の処理が実現される。
撮像素子１１０は、ＣＰＵ１０９の制御により、光学像を電気信号に変換する。撮像素子１１０として、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）が使われる。撮像素子１１０は、撮像部の一例である。
媒体制御部１１１は、メモリカード１１４等の記憶媒体へのデータの書き込みや記憶媒体からのデータの読み込みを行う。
不揮発性メモリ１１２は、電気的に消去・記憶可能な不揮発性のメモリである。不揮発性メモリ１１２は、ＣＰＵ１０９で実行されるプログラム等を記憶する。不揮発性メモリ１１２は、記憶媒体の一例である。
【００１３】
表示制御装置１００は、入力端子１０１が受信した画像データや、撮像素子１１０が撮像した画像データを、通信部１０５を介して、外部表示装置１２０に送信できる。表示制御装置１００が外部表示装置１２０に送信する画像データは、リアルタイムに更新される画像データでもよく、メモリカード１１４等に記憶された静止画や動画でもよい。
表示制御装置１００の各種の設定は、ＣＰＵ１０９が即座に画像処理回路１０２等へ伝えることで即座に反映される場合もあり、メモリ１０６に一次保存されてから反映される場合もある。
【００１４】
外部表示装置１２０は、画像処理回路１２１と画像メモリ１２２と通信部１２３と操作部１２４と表示部１２５とＣＰＵ１２６とメモリ１２７と不揮発性メモリ１２８とこれらを接続するバス１２９とを有する。
画像処理回路１２１は、画像データに対して、色情報の変換等の定められた画像処理を施す。
画像メモリ１２２は、画像処理回路１２１で画像処理される対象の画像データや画像処理回路１２１で画像処理された画像データを、表示用及び記憶処理用に一時的に記憶する。
通信部１２３は、ＣＰＵ１２６の制御により、表示制御装置１００等の外部装置との通信を行う。通信部１２３が行う通信は、ＨＤＭＩ接続等の有線の通信でもよく、ＷｉＦｉ等の無線の通信でもよい。
【００１５】
操作部１２４は、外部表示装置１２０に対するユーザの操作を受け付ける。操作部１２４は、例えば、キーボードやマウスを含む。操作部１２４は、表示部１２５と一体化されたタッチパネルを含んでいてもよい。
表示部１２５は、ＴＦＴ液晶等のディスプレイであり、画像等を表示する。表示部１２５は、第２の表示部の一例である。
ＣＰＵ１２６は、外部表示装置１２０の全体を制御する。ＣＰＵ１２６が、不揮発性メモリ１２８に記憶されているプログラムに基づき処理を実行することによって、外部表示装置１２０の各種の機能や処理が実現される。
メモリ１２７は、表示部１２５の画像表示用メモリ、ＣＰＵ１２６の作業領域等として使用される。
不揮発性メモリ１２８は、電気的に消去・記憶可能な不揮発性のメモリである。不揮発性メモリ１２８は、ＣＰＵ１２６で実行されるプログラム等を記憶する。不揮発性メモリ１２８は、記憶媒体の一例である。
【００１６】
外部表示装置１２０は、表示制御装置１００の通信部１０５より送信された画像データを通信部１２３で受信する。そして、ＣＰＵ１２６の制御により、画像処理回路１２１は、受信した画像データを表示部１２５が表示できる画像データに変換して、メモリ１２７に一時的に記憶する。そして、表示部１２５は、メモリ１２７に記憶されたデータを使用して画像を表示する。
【００１７】
以上、表示制御装置１００、及び、外部表示装置１２０の構成について説明したが、必ずしもこの構成に限定されない。例えば、装置制御やデータの記憶等は、必ずしも１つのハードウェアで行う必要はなく、複数のハードウェアが処理を分担し、１つの手段として機能してもよい。逆に、１つのハードウェアが種々の処理を行うことで、複数の手段として機能してもよい。
【００１８】
次に、図２を参照して、画像表示処理について説明する。図２は、画像表示処理の一例を示すフローチャートである。
Ｓ２０１において、表示制御装置１００のＣＰＵ１０９は、撮像素子１１０から画像データを取得して、ストリームバッファ１０４に記憶する。Ｓ２０１で取得する画像データが、ライブビュー画像となる。
Ｓ２０２において、ＣＰＵ１０９は、外部表示装置１２０と通信接続しているか否かを判定する。ＣＰＵ１０９は、通信部１０５が有線で外部表示装置１２０と接続していて外部表示装置１２０と通信できる状態の場合、又は、通信部１０５が無線で外部表示装置１２０と通信できる状態の場合に、外部表示装置１２０と通信接続していると判定する。ＣＰＵ１０９は、外部表示装置１２０と通信接続していると判定した場合、処理をＳ２０３に進め、外部表示装置１２０と通信接続していないと判定した場合、処理をＳ２０６に進める。
【００１９】
Ｓ２０３において、ＣＰＵ１０９は、Ｓ２０１でストリームバッファ１０４に記憶した画像データを外部表示装置１２０用に処理する。より具体的には、ＣＰＵ１０９は、画像処理回路１０２を制御して、後に説明する図６のＳ６０６、又は、図８のＳ８０８で反映された画像処理の設定に対応する画像処理を、Ｓ２０１でストリームバッファ１０４に記憶した画像データに対して行う。そして、ＣＰＵ１０９は、画像データを通信部１０５が送信できる状態にして、メモリ１０６に記憶する。こうして、ＣＰＵ１０９は、外部表示装置１２０用に画像処理する。
Ｓ２０４において、ＣＰＵ１０９は、Ｓ２０３で外部表示装置１２０用に処理した画像データを外部表示装置１２０に出力する。より具体的には、ＣＰＵ１０９は、通信部１０５を制御して、Ｓ２０３で外部表示装置１２０用に処理した画像データを、外部表示装置１２０に送信する。外部表示装置１２０のＣＰＵ１２６は、通信部１２３を介して表示制御装置１００から画像データを受信して、受信した画像データを用いて、表示部１２５に画像を表示するよう制御する。
【００２０】
Ｓ２０５において、ＣＰＵ１０９は、メモリ１０６や不揮発性メモリ１１２を参照して、二画面表示の設定になっているか否かを判定する。二画面表示とは、画像を、表示制御装置１００の表示部１０８、及び、外部表示装置１２０の表示部１２５に表示することである。ＣＰＵ１０９は、二画面表示の設定になっていると判定した場合、処理をＳ２０６に進め、二画面表示の設定になっていないと判定した場合、処理をＳ２０９に進める。図２の処理において、二画面表示の設定になっていない場合は、画像を外部表示装置１２０の表示部１２５にのみ表示する設定になっている場合に対応する。
Ｓ２０６において、ＣＰＵ１０９は、表示制御装置１００での表示用にＳ２０１で取得した画像データを処理する。より具体的には、ＣＰＵ１０９は、画像処理回路１０２を制御して、後に説明する図６のＳ６０４、又は、図８のＳ８１０で反映された画像処理の設定に対応する画像処理を、Ｓ２０１でストリームバッファ１０４に記憶した画像データに対して行う。こうして、ＣＰＵ１０９は、表示制御装置１００用に画像処理する。
【００２１】
Ｓ２０７において、ＣＰＵ１０９は、Ｓ２０６で表示制御装置１００用に処理した画像データを、表示制御装置１００の表示部１０８に表示するよう制御する。より具体的には、ＣＰＵ１０９の制御によって、表示制御装置１００用に処理された画像データが表示部１０８に送られる。
Ｓ２０８において、表示部１０８は、Ｓ２０７で送られた画像データを表示する。
Ｓ２０９において、ＣＰＵ１０９は、操作部１０７を介したユーザの指示等に基づいて、画像表示処理を継続するか否かを判定する。ＣＰＵ１０９は、画像表示処理を継続すると判定した場合、処理をＳ２０１に進め、画像表示処理を継続しないと判定した場合、図２の処理を終了する。
図２の画像表示処理によって、表示制御装置１００、及び、外部表示装置１２０の少なくとも何れかにライブビュー画像が表示される。
【００２２】
次に、図３を参照して、図２の画像表示処理による表示制御装置１００、及び、外部表示装置１２０の表示例について説明する。図３は、表示制御装置１００、及び、外部表示装置１２０の画像表示の一例を示す図である。
図３（ａ）は、表示制御装置１００が外部表示装置１２０と通信接続しておらず、表示制御装置１００の表示部１０８のみに画像が表示されている状態を示す。
図３（ｂ）は、表示制御装置１００が、第１の外部表示装置１２０ａと有線で通信接続しており、図２のＳ２０２で外部表示装置１２０と通信接続していると判定され、Ｓ２０５で二画面表示の設定がされていないと判定された場合の例を示す。第１の外部表示装置１２０ａは、外部表示装置１２０の１つであるディスプレイである。図３（ｂ）は、表示制御装置１００の表示部１０８には画像が表示されず、第１の外部表示装置１２０ａの表示部１２５に画像が表示されている状態を示す。
【００２３】
図３（ｃ）は、表示制御装置１００が、第１の外部表示装置１２０ａと有線で通信接続しており、Ｓ２０２で外部表示装置１２０と通信接続していると判定され、Ｓ２０５で二画面表示の設定がされていると判定された場合の例を示す。図３（ｃ）は、表示制御装置１００の表示部１０８、及び、第１の外部表示装置１２０ａの表示部１２５に画像が表示されている状態を示す。
図３（ｄ）は、表示制御装置１００が、第２の外部表示装置１２０ｂと無線で通信接続しており、Ｓ２０２で外部表示装置１２０と通信接続していると判定され、Ｓ２０５で二画面表示の設定がされていると判定された場合の例を示す。第２の外部表示装置１２０ｂは、外部表示装置１２０の１つであるスマートフォンである。図３（ｄ）は、表示制御装置１００の表示部１０８、及び、第２の外部表示装置１２０ｂの表示部１２５に画像が表示されている状態を示す。図３（ｄ）では、表示制御装置１００が、中継装置であるアクセスポイント３００を介して、第２の外部表示装置１２０ｂと無線で通信できる状態になっている。
【００２４】
次に、図４を参照して、設定反映ボタン出現処理について説明する。図４は、設定反映ボタン出現処理の一例を示すフローチャートである。
Ｓ４０１において、表示制御装置１００のＣＰＵ１０９は、表示制御装置１００の操作部１０７に対する操作に基づいてクイックメニューボタン、メニューボタン、及び、再生ボタンの何れかの選択を検出する。ＣＰＵ１０９は、これらのボタンの選択を検出しない場合、Ｓ４０１でこれらのボタンの選択を検出するまで待機する。後に説明するように、クイックメニューボタンは、表示部１０８に表示されるオブジェクトである。ＣＰＵ１０９は、操作部１０７のタッチパネルを介して、このオブジェクトの選択を検出する。クイックメニューボタン、メニューボタン、及び、再生ボタンは、表示制御装置１００の設定が変更される可能性があるモードに移行するためのボタンである。
【００２５】
Ｓ４０２において、ＣＰＵ１０９は、外部表示装置１２０と通信接続しているか否かを判定する。ＣＰＵ１０９は、外部表示装置１２０と通信接続していると判定した場合、処理をＳ４０３に進め、外部表示装置１２０と通信接続していないと判定した場合、図４の処理を終了する。
Ｓ４０３において、ＣＰＵ１０９は、メモリ１０６や不揮発性メモリ１１２を参照して、二画面表示の設定になっているか否かを判定する。ＣＰＵ１０９は、二画面表示の設定になっていると判定した場合、処理をＳ４０４に進める。二画面表示の設定になっていない場合、図３（ｂ）のように外部表示装置１２０でのみ画像が表示されるので表示制御装置１００に対する設定を即座に外部表示装置１２０での表示に反映させてもよい。このため、ＣＰＵ１０９は、二画面表示の設定になっていないと判定した場合、図４の処理を終了する。
Ｓ４０４において、ＣＰＵ１０９は、表示制御装置１００の表示部１０８に、図５に示す設定反映ボタン５１０を表示するよう制御する。設定反映ボタン５１０は、表示部１０８に表示されるオブジェクトであり、表示制御装置１００に対する設定を、外部表示装置１２０での表示に反映させるためのボタンである。
【００２６】
次に、図５を参照して、設定反映ボタン出現処理で設定反映ボタン５１０が表示部１０８に表示される例について説明する。
図５（ａ）は、ユーザがクイックメニューボタン、メニューボタン、及び、再生ボタンの何れかを選択する前の、表示制御装置１００の表示部１０８の画像表示の一例を示す。図５（ａ）では、表示部１０８に撮像素子１１０で撮像された画像データを用いたライブビュー画像が表示されている。
図５（ｂ）、（ｃ）は、クイックメニューボタンが押下された場合に、ＣＰＵ１０９の制御により表示部１０８に表示されるクイックメニュー画面５００を示す。クイックメニュー画面５００では、ライブビュー画像に重畳されたクイックメニュー５０１が表示される。図５（ｄ）、（ｅ）は、メニューボタンが押下された場合に、ＣＰＵ１０９の制御により表示部１０８に表示されるメニュー画面５２０を示す。クイックメニュー画面５００、及び、メニュー画面５２０は、それぞれ、設定画面の一例である。図５（ｆ）、（ｇ）は、再生ボタンが押下された場合に、ＣＰＵ１０９の制御により表示部１０８に表示される再生画面５３０を示す。クイックメニュー５０１は、設定用のオブジェクトの一例である。
【００２７】
図５（ｂ）、（ｄ）、（ｆ）は、表示制御装置１００のみの表示の場合の例であり、図４の処理により、設定反映ボタン５１０は表示されない。また、図３（ｂ）のように、外部表示装置１２０のみの表示の場合、押下されたボタンに応じた図５（ｂ）、（ｄ）、（ｆ）に示す画面の何れかが、外部表示装置１２０の表示部１２５に表示されてもよい。
図５（ｃ）、（ｅ）、（ｇ）は、表示制御装置１００、及び、外部表示装置１２０の両方で表示されている二画面表示の場合の例であり、図４の処理により、設定反映ボタン５１０が表示部１０８に表示される。したがって、図５（ｃ）のクイックメニュー５０１、図５（ｅ）のメニュー画面５２０、図５（ｆ）の再生画面５３０に設定反映ボタン５１０が追加表示される。
このように、二画面表示の場合にのみ、表示制御装置１００の表示部１０８に設定反映ボタン５１０が表示される。ユーザは、表示制御装置１００の設定を変更後、設定反映ボタン５１０を選択することで、表示制御装置１００の設定を、外部表示装置１２０で表示する画像データに反映することができる。
【００２８】
次に、図６、７を参照して、二画面表示されている場合の設定変更処理について説明する。図６は、設定変更処理の一例を示すフローチャートである。図７は、表示制御装置１００、及び、外部表示装置１２０の画像表示の一例を示す図である。図２の画像表示処理が実行され、図７（ａ）に示すように、設定変更処理の前には、表示制御装置１００の表示部１０８、及び、外部表示装置１２０の表示部１２５には、ライブビュー画像が表示されており、二画面表示の状態になっているものとする。図７（ｂ）は、表示制御装置１００の表示部１０８に表示される画面を示し、図７（ｃ）は、外部表示装置１２０の表示部１２５に表示される画面を示す。また、設定変更処理の実行中にも図２の画像表示処理が実行されて、ライブビュー画像が更新される。
Ｓ６０１において、表示制御装置１００のＣＰＵ１０９は、ユーザによるクイックメニューボタン７００の選択を受け付ける。クイックメニューボタン７００は、図７（ａ）に示すように、表示制御装置１００の表示部１０８に表示されたオブジェクトである。
【００２９】
Ｓ６０２において、ＣＰＵ１０９は、表示制御装置１００の表示部１０８に、図７（ｂ）に示す画面７０５を表示するよう制御する。画面７０５は、図５（ｂ）を参照して説明したクイックメニュー画面５００であり、ライブビュー画像に重畳したクイックメニュー５０１を含む。また、二画面表示の状態であるため、ＣＰＵ１０９は、図４の設定反映ボタン出現処理により、画面７０５に設定反映ボタン５１０を表示する。Ｓ６０２が処理されているとき、図２の画像表示処理も行われている。このため、外部表示装置１２０の表示部１２５には、図７（ｃ）に示す画面７０８が表示される。画面７０８は、画面７０５と同様にライブビュー画像が表示される。画面７０５に表示されるライブビュー画像は、第４の画像の一例である。
Ｓ６０３において、ＣＰＵ１０９は、操作部１０７のタッチパネルを介して、表示制御装置１００の画像処理の設定を受け付ける。Ｓ６０３の処理は、第１の受付け処理の一例である。画像処理として、モノクロやセピア、彩度強調画像の色変換、複数画像のレイアウト、ホワイトバランス補正、ノイズ除去、その他自動で画像を好ましい色や輝度に補正する処理等が挙げられるが、これらに限定されるものではない。
【００３０】
Ｓ６０４において、ＣＰＵ１０９は、Ｓ６０３で受け付けた設定を表示制御装置１００の表示部１０８への表示に反映させる。これにより、図２のＳ２０６において、ＣＰＵ１０９は、画像処理回路１０２を制御して、表示制御装置１００用に、Ｓ６０３で受け付けた画像処理の設定に対応する画像処理を、表示制御装置１００に表示させる画像データに対して行う。そして、ＣＰＵ１０９は、表示制御装置１００用に処理した画像データを、表示制御装置１００の表示部１０８に表示するよう制御する。こうして、ＣＰＵ１０９は、例えば、図７（ｂ）の画面７０６に示すように、Ｓ６０３で受け付けた設定に対応する画像処理が行われたライブビュー画像を含むクイックメニュー画面を表示部１０８に表示させる。画面７０６に表示されるライブビュー画像は、第１の画像の一例である。
ただし、Ｓ６０４では、ＣＰＵ１０９は、Ｓ６０３で受け付けた設定を外部表示装置１２０への表示には反映させない。よって、図２のＳ２０３において、ＣＰＵ１０９は、Ｓ６０３で受け付けた画像処理の設定に対応する画像処理を、外部表示装置１２０に表示させる画像データに対して行わない。したがって、例えば、外部表示装置１２０の表示部１２５には、図７（ｃ）の画面７０９に示すように、Ｓ６０３で設定を受け付ける前の設定に対応する画像処理が行われたライブビュー画像が表示される。画面７０６に表示されるライブビュー画像は、第２の画像の一例である。
【００３１】
Ｓ６０５において、ＣＰＵ１０９は、操作部１０７に対するユーザの操作を受け付けて、操作部１０７のタッチパネルを介して設定反映ボタン５１０が選択されたか否かを判定する。ＣＰＵ１０９は、設定反映ボタン５１０が選択されたと判定した場合、処理をＳ６０６に進め、設定反映ボタン５１０が選択されていないと判定した場合、処理をＳ６０７に進める。Ｓ６０５でＣＰＵ１０９が受け付ける操作は、定められた操作の一例である。Ｓ６０５でＣＰＵ１０９が操作を受け付ける処理は、第２の受付処理の一例である。
Ｓ６０６において、ＣＰＵ１０９は、Ｓ６０３で受け付けた設定を外部表示装置１２０への表示に反映させる。これにより、図２のＳ２０３において、ＣＰＵ１０９は、画像処理回路１０２を制御して、外部表示装置１２０用に、Ｓ６０３で受け付けた画像処理の設定に対応する画像処理を、外部表示装置１２０に表示させる画像データに対して行う。そして、ＣＰＵ１０９は、外部表示装置１２０用に処理した画像データを、外部表示装置１２０に出力。こうして、ＣＰＵ１０９は、例えば、図７（ｃ）の画面７１０に示すように、Ｓ６０３で受け付けた設定に対応する画像処理が行われたライブビュー画像を含む画面を表示部１２５に表示させる。画面７１０に表示されるライブビュー画像は、第３の画像の一例である。このとき、ＣＰＵ１０９は、表示制御装置１００の表示部１０８の設定反映ボタン５１０を、図７（ｂ）の画面７０７に示すように、選択されたことが分かるように、色を変更する等により、画面７０６とは異なる表示にする。Ｓ６０６の処理は、Ｓ６０３で受け付けた画像処理の設定に対応する画像処理が行われていない画像の代わりに、この画像処理が行われた画像を表示部１２５に表示するよう制御する処理の一例である。
【００３２】
Ｓ６０７において、ＣＰＵ１０９は、操作部１０７に対する操作に基づいて、クイックメニュー５０１の表示を終了するか否かを判定する。ＣＰＵ１０９は、クイックメニュー５０１の表示を終了すると判定した場合、表示部１０８へのクイックメニュー５０１の表示を終了して図６の処理を終了する。ＣＰＵ１０９は、クイックメニュー５０１の表示を終了しないと判定した場合、処理をＳ６０２に進める。
【００３３】
以上説明したように、ＣＰＵ１０９は、表示制御装置１００、及び、外部表示装置１２０にライブビュー画像を表示させている場合に、表示制御装置１００の画像処理の設定を受け付けると、表示制御装置１００での表示に設定を反映させる。そして、ＣＰＵ１０９は、外部表示装置１２０での表示には設定を反映させない。よって、表示制御装置１００では、外部表示装置１２０の表示に影響されずに、設定が変更されることになる。したがって、画像処理の設定が固まっておらず、ユーザが画像処理の設定を調整している段階の画像等、ユーザが意図しない画像が外部表示装置１２０で表示されることが回避できる。このため、ユーザの利便性が向上する。
また、ＣＰＵ１０９は、設定反映ボタン５１０の選択を受け付けた場合、表示制御装置１００の画像処理の設定を表示制御装置１００での表示に反映させる。よって、ユーザが画像処理の設定の調整を終了して画像処理の設定が固まった後に、この設定が外部表示装置１２０で表示に反映されることになる。したがって、ユーザが意図する画像が外部表示装置１２０で表示されることになり、ユーザの利便性が向上する。
【００３４】
（第２の実施形態）
次に、第２の実施形態のシステムを構成する表示制御装置１００、及び、外部表示装置１２０について説明する。第２の実施形態の表示制御装置１００、及び、外部表示装置１２０の構成は、第１の実施形態と同様である。第２の実施形態に特有の点について、図８、９を参照して説明する。図８は、設定変更処理の一例を示すフローチャートである。図９は、表示制御装置１００、及び、外部表示装置１２０の画像表示の一例を示す図である。図９（ａ）に示すように、図２の画像表示処理が実行されることで、設定変更処理の前には、表示制御装置１００の表示部１０８、及び、外部表示装置１２０の表示部１２５に、ライブビュー画像が表示されており、二画面表示の状態になっているものとする。図９（ｂ）は、表示制御装置１００の表示部１０８に表示される画面を示し、図９（ｃ）は、外部表示装置１２０の表示部１２５に表示される画面を示す。また、設定変更処理の実行中にも図２の画像表示処理が実行されて、ライブビュー画像が更新される。
【００３５】
Ｓ８０１において、表示制御装置１００のＣＰＵ１０９は、ユーザによるメニューボタン９０２の選択（押下）を受け付ける。メニューボタン９０２は、図９（ａ）に示すように、表示制御装置１００の筐体に設けられたボタンである。
Ｓ８０２において、ＣＰＵ１０９は、表示制御装置１００の表示部１０８へのライブビュー画像の表示を停止するよう制御する。この制御により、図２の画像表示処理では、表示部１０８に画像を表示する処理が停止する。
Ｓ８０３において、ＣＰＵ１０９は、表示制御装置１００の表示部１０８にメニュー画面を表示するよう制御する。ＣＰＵ１０９は、二画面表示の状態になっているため、図４の設定反映ボタン出現処理により、表示部１０８に設定反映ボタン５１０を表示するよう制御する。
【００３６】
Ｓ８０２、Ｓ８０３の処理により、図９（ｂ）に示すように、表示部１０８に表示される画面が、画面９０５から画面９０６に遷移する。画面９０６は、図５（ｅ）を参照して説明したメニュー画面５２０であり、設定反映ボタン５１０が表示されている。
一方、Ｓ８０２、Ｓ８０３の処理が行われている間、表示制御装置１００はライブユー画像を継続して外部表示装置１２０に送信する。このため、図９（ｃ）の画面９０９、画面９１０に示すように、外部表示装置１２０の表示部１２５には、ライブビュー画像の表示が継続する。
【００３７】
Ｓ８０４において、ＣＰＵ１０９は、メニュー画面を介しての、操作部１０７に対するユーザの操作に基づいて、表示制御装置１００の画像処理の設定の変更を受け付ける。
Ｓ８０５において、ＣＰＵ１０９は、メニュー画面を介しての、操作部１０７に対するユーザの操作に基づいて、表示制御装置１００の画像処理の設定の決定を受け付ける。Ｓ８０４やＳ８０５でＣＰＵ１０９が受け付ける操作は、変更操作の一例である。
Ｓ８０６において、ＣＰＵ１０９は、Ｓ８０５で決定された表示制御装置１００の画像処理の設定の情報をメモリ１０６に記憶する。
Ｓ８０７において、ＣＰＵ１０９は、操作部１０７のタッチパネルを介して設定反映ボタン５１０が選択されたか否かを判定する。ＣＰＵ１０９は、設定反映ボタン５１０が選択されたと判定した場合、処理をＳ８０８に進め、設定反映ボタン５１０が選択されていないと判定した場合、処理をＳ８０９に進める。Ｓ８０７でＣＰＵ１０９が受け付ける操作は、画像処理の設定を確定させる確定操作の一例である。
【００３８】
Ｓ８０８において、ＣＰＵ１０９は、Ｓ８０６で記憶された設定を外部表示装置１２０への表示に反映させる。これにより、図２のＳ２０３において、ＣＰＵ１０９は、画像処理回路１０２を制御して、外部表示装置１２０用に、Ｓ８０５で決定された設定に対応する画像処理を、外部表示装置１２０に表示させる画像データに対して行う。そして、ＣＰＵ１０９は、外部表示装置１２０用に処理した画像データを、外部表示装置１２０に出力する。こうして、ＣＰＵ１０９は、例えば、図９（ｃ）の画面９１１に示すように、Ｓ８０５で決定された設定に対応する画像処理が行われたライブビュー画像が外部表示装置１２０の表示部１２５に表示される。このとき、ＣＰＵ１０９は、表示制御装置１００の表示部１０８の設定反映ボタン５１０を、図９（ｃ）の画面９０７に示すように、選択されたことが分かるように、色を変更する等により、画面９０６とは異なる表示にする。
【００３９】
Ｓ８０９において、ＣＰＵ１０９は、操作部１０７に対するユーザの操作に基づいて、メニュー画面の表示を終了するか否かを判定する。ＣＰＵ１０９は、メニュー画面の表示を終了すると判定した場合、処理をＳ８１０に進め、メニュー画面の表示を終了しないと判定した場合、処理をＳ８０４に進める。
Ｓ８１０において、ＣＰＵ１０９は、Ｓ８０６でメモリ１０６に記憶した画像処理の設定の情報を読み出す。そして、ＣＰＵ１０９は、読み出した設定の情報に基づいて、Ｓ８０５で決定された設定を表示制御装置１００の表示部１０８への表示に反映させる。
Ｓ８１１において、ＣＰＵ１０９は、メニュー画面を閉じて、表示制御装置１００の表示部１０８へのライブビュー画像の表示を再開するよう制御する。この制御により、図２の画像表示処理では、表示部１０８に画像を表示する処理が再開する。Ｓ８１０で、Ｓ８０５で決定された設定を表示制御装置１００の表示部１０８への表示に反映されている。このため、図２のＳ２０６において、ＣＰＵ１０９は、画像処理回路１０２を制御して、表示制御装置１００用に、Ｓ８０５で決定された設定に対応する画像処理を、表示制御装置１００に表示させる画像データに対して行う。そして、ＣＰＵ１０９は、表示制御装置１００用に処理した画像データを、表示制御装置１００の表示部１０８に表示するよう制御する。そして、ＣＰＵ１０９は、図９（ｂ）の画面９０８に示すように、Ｓ８０５で決定された画像処理の設定に対応する画像処理が行われたライブビュー画像を含む画面を表示部１０８に表示させる。この際に、Ｓ８０７で設定反映ボタン５１０が選択されたと判定された場合は、Ｓ８０５で決定された画像処理の設定が外部表示装置１２０への表示に反映されている。したがって、外部表示装置１２０の表示部１２５には、図９（ｃ）の画面９１２に示すように、表示制御装置１００の表示部１０８に表示される画面９０８と同じ画面が表示される。
【００４０】
以上説明したように、ＣＰＵ１０９は、外部表示装置１２０にライブビュー画像を表示させたまま、表示制御装置１００にメニュー画面を表示させる。よって、ユーザは、外部表示装置１２０にライブビュー画像を表示させた状態で、表示制御装置１００の設定を変更できる。したがって、ユーザの利便性が向上する。
また、ＣＰＵ１０９は、表示制御装置１００、及び、外部表示装置１２０にライブビュー画像を表示させている場合に、表示制御装置１００の画像処理の設定を受け付けると、表示制御装置１００での表示に設定を反映させる。そして、ＣＰＵ１０９は、外部表示装置１２０での表示には設定を反映させない。よって、表示制御装置１００は、外部表示装置１２０の表示に影響されずに、設定が変更されることになる。したがって、画像処理の設定が固まっておらず、ユーザが画像処理の設定を調整している段階の画像等、ユーザが意図しない画像が外部表示装置１２０で表示されることが回避できる。このため、ユーザの利便性が向上する。
また、ＣＰＵ１０９は、設定反映ボタン５１０の選択を受け付けた場合、表示制御装置１００の画像処理の設定を表示制御装置１００での表示に反映させる。よって、ユーザが画像処理の設定の調整を終了して画像処理の設定が固まった後に、この設定が外部表示装置１２０で表示に反映されることになる。したがって、ユーザが意図する画像が外部表示装置１２０で表示されることになり、ユーザの利便性が向上する。
【００４１】
第１の実施形態、及び、第２の実施形態では、ＣＰＵ１０９は、表示制御装置１００、及び、外部表示装置１２０が共にライブビュー画像を表示した状態で、画像処理の設定を変更する。しかし、ＣＰＵ１０９は、表示制御装置１００、及び、外部表示装置１２０が異なる画像を表示した状態で、画像処理の設定を変更してもよい。
【００４２】
（第３の実施形態）
次に、第３の実施形態のシステムを構成する表示制御装置１００、及び、外部表示装置１２０について説明する。第３の実施形態の表示制御装置１００、及び、外部表示装置１２０の構成は、第１の実施形態と同様である。第３の実施形態に特有の点について、図１０、１１を参照して説明する。図１０は、再生動作処理の一例を示すフローチャートである。図１１は、表示制御装置１００、及び、外部表示装置１２０の画像表示の一例を示す図である。図２の画像表示処理が開始することで、本実施形態の再生動画処理の前には、表示制御装置１００の表示部１０８には図１１（ｂ）の画面１１０５のようにライブビュー画像が表示されている。また、外部表示装置１２０の表示部１２５には図１１（ｃ）の画面１１０８のようにライブビュー画像が表示されている。このように、本実施形態の再生動画処理の前は、二画面表示の状態になっているものとする。図１１（ｂ）は、表示制御装置１００の表示部１０８に表示される画面を示し、図１１（ｃ）は、外部表示装置１２０の表示部１２５に表示される画面を示す。画面１１０５に表示される画像、及び、画面１１０８に表示される画像は、第１の画像の一例である。
【００４３】
Ｓ１００１において、表示制御装置１００のＣＰＵ１０９は、ユーザによる再生ボタン１１０２の選択（押下）を受け付ける。再生ボタン１１０２は、図１１（ａ）に示すように、表示制御装置１００の筐体に設けられたボタンである。
Ｓ１００２において、ＣＰＵ１０９は、ライブビュー設定の設定情報をメモリ１０６に記憶する。
Ｓ１００３において、ＣＰＵ１０９は、表示制御装置１００の表示部１０８へのライブビュー画像の表示を停止するよう制御する。
【００４４】
Ｓ１００４において、ＣＰＵ１０９は、表示制御装置１００の表示部１０８に、再生画面を表示するよう制御する。ここで、表示部１０８に表示される再生画面は、図１１（ｂ）の画面１１０６に示す画面である。ただし、Ｓ１００４の時点では、再生画面で画像を再生する処理が開始していないため、再生画面には画像は表示されていなくてもよい。また、ＣＰＵ１０９は、二画面表示の状態になっているため、図４の設定反映ボタン出現処理により、表示部１０８に設定反映ボタン５１０を表示するよう制御する。
Ｓ１００５において、ＣＰＵ１０９は、操作部１０７に対するユーザの操作に基づいて、再生画面に表示する画像を、例えばメモリカード１１４から選択する。ＣＰＵ１０９は、媒体制御部１１１を制御することでメモリカード１１４からデータを読み出す。
Ｓ１００１、及び、Ｓ１００５でＣＰＵ１０９が受け付ける操作は、第１の操作の一例である。Ｓ１００１、及び、Ｓ１００５の処理は、第１の受付処理の一例である。
【００４５】
Ｓ１００６において、ＣＰＵ１０９は、操作部１０７に対するユーザの操作を受け付けて、操作部１０７のタッチパネルを介して設定反映ボタン５１０が選択されたか否かを判定する。そして、ＣＰＵ１０９は、設定反映ボタン５１０が選択されたと判定した場合、表示制御装置１００の動作状態が、同期モードの場合は非同期モードに変更し、非同期モードの場合は同期モードに変更する。同期モードは、表示制御装置１００と外部表示装置１２０とに同じ画面を表示するモードであり、非同期モードは、表示制御装置１００と外部表示装置１２０とに異なる画面を表示するモードである。次いで、ＣＰＵ１０９は、表示制御装置１００の動作状態を非同期モードから同期モードに変更したか否かを判定する。ＣＰＵ１０９は、非同期モードから同期モードに変更したと判定した場合、処理をＳ１００７に進め、非同期モードから同期モードには変更していないと判定した場合、処理をＳ１００８に進める。Ｓ１００６でＣＰＵ１０９が受け付ける操作は、第２の操作の一例である。Ｓ１００６でＣＰＵ１０９が操作を受け付ける処理は、第２の受付処理の一例である。
Ｓ１００７において、ＣＰＵ１０９は、外部表示装置１２０に再生画面を出力するよう制御する。より具体的には、ＣＰＵ１０９は、通信部１０５を介して再生画面の情報を外部表示装置１２０に送信する。外部表示装置１２０のＣＰＵ１２６は、通信部１２３を介して表示制御装置１００から再生画面の情報を受信して、受信した画像データを用いて、表示部１２５に再生画面を表示するよう制御する。
【００４６】
Ｓ１００８において、ＣＰＵ１０９は、Ｓ１００５で選択された画像を再生する再生処理を開始する。
より具体的には、ＣＰＵ１０９は、表示制御装置１００が同期モードの場合、第１の再生処理を開始する。第１の再生処理では、ＣＰＵ１０９は、Ｓ１００５で選択された画像の、表示制御装置１００の表示部１０８に表示された再生画面での再生を開始するよう制御する。また、第１の再生処理では、ＣＰＵ１０９は、Ｓ１００５で選択された画像の、通信部１０５を介した外部表示装置１２０への送信を開始するよう制御する。外部表示装置１２０のＣＰＵ１２６は、通信部１２３を介した表示制御装置１００からの画像データの受信を開始し、受信した画像データを用いての表示部１２５への画像の表示を開始するよう制御する。
また、ＣＰＵ１０９は、表示制御装置１００が非同期モードの場合、第２の再生処理を開始する。第２の再生処理では、ＣＰＵ１０９は、Ｓ１００５で選択された画像の、表示制御装置１００の表示部１０８に表示された再生画面での再生を開始するよう制御する。表示制御装置１００が非同期モードの場合、ＣＰＵ１０９は、ライブビュー画像の、通信部１０５を介しての外部表示装置１２０への送信を行う。外部表示装置１２０のＣＰＵ１２６は、通信部１２３を介した表示制御装置１００からの画像データの受信を開始し、受信した画像データを用いての表示部１２５へのライブビュー画像の表示をするよう制御する。
【００４７】
Ｓ１００９において、ＣＰＵ１０９は、Ｓ１００５で選択された画像についてＳ１００８で開始した再生処理が終了したか否かを判定する。ＣＰＵ１０９は、画像の再生処理が終了したと判定した場合、処理をＳ１０１０に進め、画像の再生処理が終了していないと判定した場合、再度Ｓ１００９を実行する。
Ｓ１０１０において、ＣＰＵ１０９は、操作部１０７に対するユーザの操作を受け付けて、操作部１０７のタッチパネルを介して設定反映ボタン５１０が選択されたか否かを判定する。そして、ＣＰＵ１０９は、設定反映ボタン５１０が選択されたと判定した場合、表示制御装置１００の動作状態が、同期モードの場合は非同期モードに変更し、非同期モードの場合は同期モードに変更する。次いで、ＣＰＵ１０９は、表示制御装置１００の動作状態を同期モードから非同期モードに変更したか否かを判定する。ＣＰＵ１０９は、同期モードから非同期モードに変更したと判定した場合、処理をＳ１０１１に進め、同期モードから非同期モードには変更していないと判定した場合、処理をＳ１０１２に進める。
Ｓ１０１１において、ＣＰＵ１０９は、Ｓ１００２でメモリ１０６に記憶したライブビュー設定の設定情報を読み出す。そして、ＣＰＵ１０９は、読み出した設定情報に対応するライブビュー設定を使用して、外部表示装置１２０の表示部１２５へのライブビュー画像の表示を再開するよう制御する。より具体的には、ＣＰＵ１０９は、読み出した設定情報に対応するライブビュー設定を使用して、ライブビュー画像を、通信部１０５を介して外部表示装置１２０に送信する処理を再開する。外部表示装置１２０のＣＰＵ１２６は、通信部１２３を介して表示制御装置１００からライブビュー画像を受信して、表示部１２５にライブビュー画像を表示する制御を再開する。
【００４８】
Ｓ１０１２において、ＣＰＵ１０９は、操作部１０７に対するユーザの操作に基づいて、表示部１０８への再生画面の表示を終了するか否かを判定する。ＣＰＵ１０９は、表示部１０８への再生画面の表示を終了すると判定した場合、処理をＳ１０１３に進め、表示部１０８への再生画面の表示を終了しないと判定した場合、処理をＳ１００５に進める。
Ｓ１０１３において、ＣＰＵ１０９は、Ｓ１００２でメモリ１０６に記憶したライブビュー設定の設定情報を読み出す。
Ｓ１０１４において、ＣＰＵ１０９は、Ｓ１０１３で読み出した設定情報に対応するライブビュー設定を使用して、表示制御装置１００の表示部１０８へのライブビュー画像の表示を再開するよう制御する。
Ｓ１０１５において、ＣＰＵ１０９は、再生画面を外部表示装置１２０に出力するよう制御しているか否かを判定する。ＣＰＵ１０９は、再生画面を外部表示装置１２０に出力するよう制御していると判定した場合、処理をＳ１０１６に進め、再生画面を外部表示装置１２０に出力するよう制御していないと判定した場合、図１０の処理を終了する。
Ｓ１０１６において、ＣＰＵ１０９は、外部表示装置１２０の表示部１２５へのライブビュー画像の表示を再開するよう制御する。より具体的には、ＣＰＵ１０９は、ライブビュー画像を、通信部１０５を介して外部表示装置１２０に送信する処理を再開する。外部表示装置１２０のＣＰＵ１２６は、通信部１２３を介して表示制御装置１００からライブビュー画像を受信して、表示部１２５にライブビュー画像を表示するよう制御する。
【００４９】
図１０の処理の開始時は、表示制御装置１００の表示部１０８には、図１１（ｂ）の画面１１０５に示すように、ライブビュー画像が表示された画面が表示される。また、外部表示装置１２０の表示部１２５には、図１１（ｃ）の画面１１０８に示すように、ライブビュー画像が表示された画面が表示される。
次いで、ユーザが再生ボタン１１０２を押下してから、設定反映ボタン５１０を選択しないと、Ｓ１００８の処理により、表示制御装置１００の表示部１０８には、図１１（ｂ）の画面１１０６に示すように、再生画面が表示される。画面１１０６では、Ｓ１００８の処理により画像が再生される。また、外部表示装置１２０の表示部１２５には、図１１（ｃ）の画面１１０９に示すように、ライブビュー画像が表示された画面が継続して表示される。図１１（ａ）は、表示制御装置１００の表示部１０８に画面１１０６が表示され、外部表示装置１２０の表示部１２５に画面１１０９が表示された状態を示す。画面１１０６に表示される画像は、第２の画像の一例である。
次いで、ユーザが設定反映ボタン５１０を選択すると、Ｓ１００８の処理により、表示制御装置１００の表示部１０８には、図１１（ｂ）の画面１１０７に示すように、再生画面が表示される。また、外部表示装置１２０の表示部１２５には、図１１（ｃ）の画面１１１０に示すように、再生画面が表示される。画面１１０７、及び、画面１１１０では、Ｓ１００８の処理により画像が再生される。画面１１１０に表示される画像は、第２の画像の一例である。
【００５０】
以上説明したように、ＣＰＵ１０９は、外部表示装置１２０にライブビュー画像を表示させたまま、表示制御装置１００に再生画面を表示させる。よって、ユーザは、外部表示装置１２０にライブビュー画像を表示させた状態で表示制御装置１００の再生画面を操作できて表示制御装置１００で画像を確認できる。また、ユーザが意図しない画像が外部表示装置１２０に表示されることを回避できる。したがって、ユーザの利便性が向上する。
また、設定反映ボタン５１０を用いることで表示制御装置１００と外部表示装置１２０とは同期することができる。ＣＰＵ１０９は、設定反映ボタン５１０の選択を受け付けた場合、表示制御装置１００の再生画面に表示させた画像を、外部表示装置１２０に表示させる。よって、ユーザが意図する画像が外部表示装置１２０に表示することができる。したがって、ユーザの利便性が向上する。
【００５１】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００５２】
以上、本発明を実施形態と共に説明したが、上記実施形態は本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
例えば、表示制御装置１００や外部表示装置１２０のハードウェア構成として、ＣＰＵは複数存在してもよく、複数のＣＰＵが各装置のＨＤＤ等に記憶されているプログラムに基づき処理を実行するようにしてもよい。また、表示制御装置１００や外部表示装置１２０のハードウェア構成として、ＣＰＵに替えてＧＰＵ（Ｇｒａｐｈｉｃｓ  Ｐｒｏｃｅｓｓｉｎｇ  Ｕｎｉｔ）を用いることとしてもよい。ソフトウェアの一部は、表示制御装置１００や外部表示装置１２０のハードウェアとして実装されてもよい。また、上記の実施形態を任意に組み合わせてもよい。
【００５３】
以上、上述した実施形態によれば、ユーザの利便性を向上させることができる。
【符号の説明】
【００５４】
１００  表示制御装置
１０８  表示部
１０９  ＣＰＵ
１２０  外部表示装置
１２５  表示部
【図１】
2019129363.tif 000003
【図２】
2019129363.tif 000004
【図３】
2019129363.tif 000005
【図４】
2019129363.tif 000006
【図５】
2019129363.tif 000007
【図６】
2019129363.tif 000008
【図７】
2019129363.tif 000009
【図８】
2019129363.tif 000010
【図９】
2019129363.tif 000011
【図１０】
2019129363.tif 000012
【図１１】
2019129363.tif 000013